(57)【要約】【課題】  どんな方向からでも座れ、容易に入手可能な段ボール紙を利用して容易に組み立て・解体が可能、かつ、段ボールのみを使用し古紙としてリサイクル可能な環境に優しい、組立て椅子を提供すること。【解決手段】  矩形板状体は、該矩形板状体の長辺と直角に折線を形成し、前記長辺の一端から前記長辺に直角にそれぞれ２つの第１のスリットを設けた、該折線同士又は該折線と該矩形板状の短辺とで形成された等幅の３つの脚面と、前記矩形板状体の一端に、前記短辺と前記折線により形成された接合部とからなり、前記矩形板状体を折線で折り曲げ、各前記短辺の対応する位置に、該短辺に直角に設けられた第２のスリットを互いに挿入し着脱可能に係止させて三角柱とし、２つの前記三角柱を、対応する前記第１のスリットを着脱可能に嵌合させて星形六角柱とした脚部と、前記星形六角柱の一端に設けられた座部とからなることを特徴とする組立て椅子である。【選択図】図１
0003189510.tif 000002
【実用新案登録請求の範囲】
【請求項１】
矩形板状体は、該矩形板状体の長辺と直角に折線を形成し、前記長辺の一端から前記長辺に直角にそれぞれ２つの第１のスリットを設けた、該折線同士又は該折線と該矩形板状の短辺とで形成された等幅の３つの脚面と、
前記矩形板状体の一端に、前記短辺と前記折線により形成された接合部とからなり、
前記矩形板状体を折線で折り曲げ、各前記短辺の対応する位置に、該短辺に直角に設けられた第２のスリットを互いに挿入し着脱可能に係止させて三角柱とし、
２つの前記三角柱を、対応する前記第１のスリットを着脱可能に嵌合させて星形六角柱とした脚部と、
前記星形六角柱の一端に設けられた座部とからなることを特徴とする組立て椅子。
【請求項２】
前記接合部が、前記脚面の幅の三分の一から六分の一の幅であることを特徴とする請求項１の組立て椅子。
【請求項３】
前記第２のスリットが、Ｌ字状であって、一方の第２のスリットのＬ字の軸部と、他方の第２のスリットのＬ字の先端部の座面からの位置が等しいことを特徴とする請求項１又は２の組立て椅子
【請求項４】
前記座部は、六角形の座面と六角形の各辺に側面とを有し、
前記側面によって形成された空間に前記脚部を挿入することを特徴とする請求項１〜３の組立て椅子。
【請求項５】
段ボール紙を用いたことを特徴とする請求項１〜４の組立て椅子。
【考案の詳細な説明】
【技術分野】
【０００１】
本考案は、簡便な組み立て・解体が可能な組み立て式の椅子に関するものである。
【背景技術】
【０００２】
通常一般的に使用されている組立て椅子は、アルミパイプと布などで構成されているものが多く、比較的高価で使い捨てには適していなかった。そのため、安価な組立て椅子の一例として、厚紙製又は段ボール製の組立て椅子が創作されているが、強度を得るために、その形状が複雑で、長尺の段ボールなどを必要とし（特許文献１）、簡便に製作することができなかった。  
【０００３】
一方、形状が比較的簡単なものも創作されているが、形状を保持するために接着剤や面ファスナーなどが使用されており（特許文献２）、容易に解体することが困難であり、古紙としてリサイクルする場合には面ファスナーなどを除去する必要があった。
【０００４】
また、形状が比較的簡単であって、段ボール紙のみで組立てた組立て椅子も考案されているが（特許文献３）、その形状から、一定の方向から座らないと安定性に欠け、一定の方向からしか座ることができない不便さがあった。
【先行技術文献】
【特許文献】
【０００５】
【特許文献１】特開第０６−２３７３２号
【特許文献２】登録実用新案公報  第３１３９３３５号
【特許文献３】登録実用新案公報  第３０３６３９５号
【考案の概要】
【考案が解決しようとする課題】
【０００６】
本考案は、どんな方向からでも座れる、容易に入手可能な段ボール紙を利用して容易に組み立て・解体が可能であって、かつ、段ボールのみを使用していることから廃棄する場合にも古紙としてリサイクル可能な環境に優しい、組立て椅子を提供することを課題とする。
【課題を解決するための手段】
【０００７】
本考案においては、矩形板状体は、該矩形板状体の長辺と直角に折線を形成し、前記長辺の一端から前記長辺に直角にそれぞれ２つの第１のスリットを設けた、該折線同士又は該折線と該矩形板状の短辺とで形成された等幅の３つの脚面と、前記矩形板状体の一端に、前記短辺と前記折線により形成された接合部とからなり、前記矩形板状体を折線で折り曲げ、各前記短辺の対応する位置に、該短辺に直角に設けられた第２のスリットを互いに挿入し着脱可能に係止させて三角柱とし、２つの前記三角柱を、対応する前記第１のスリットを着脱可能に嵌合させて星形六角柱とした脚部と、前記星形六角柱の一端に設けられた座部とからなることを特徴とする組立て椅子である。
【０００８】
本考案による組立て椅子は、容易に組み立て・解体が可能であり、また、どの方向から座っても、安定して座ることができる。
【０００９】
本考案は、前記接合部が、前記脚面の幅の三分の一から六分の一の幅であることを特徴とする組立て椅子である。
【００１０】
本考案によれば、より安定した形状の三角柱を形成することができ、安定して当該組立て椅子に座ることができる。
【００１１】
本考案は、前記第２のスリットが、Ｌ字状であって、一方の第２のスリットのＬ字の軸部と、他方の第２のスリットのＬ字の先端部の座面からの位置が等しいことを特徴とする組立て椅子である。
【００１２】
本考案によれば、接合部と、他端の脚面を確実に係止することができる。
【００１３】
本考案は、前記座部は、六角形の座面と六角形の各辺に側面とを有し、前記側面によって形成された空間に前記脚部を挿入することを特徴とする組立て椅子である。
【００１４】
本考案によれば、座部により、星状六角柱の脚部を保持し、安定して座ることができる。
【００１５】
本考案は、  段ボール紙を用いたことを特徴とする組立て椅子である。
【００１６】
本考案によれば、段ボール以外の素材を使用していないことから、古紙として容易に廃棄可能である。
【考案の効果】
【００１７】
本考案による組立て椅子は、脚部が三角柱を組み合わせた星状六角柱であることから、非常に安定しており、方向性なくどんな方向からでも座れる。また、形状的に安定していることから、座っても無理な力が掛かることが無く、形状が崩れる心配がない。
【００１８】
また、本考案に係る組立て椅子は、新品の段ボール紙を用いるだけではなく、容易に入手可能な空き段ボール箱を利用して作ることができる。例えば、ペットボトルなどの空き箱を利用することが可能であり、カッターと定規が有れば、誰でも、場所を選ばす、段ボール紙を所定の形状に切断し、本考案に係る組立て椅子を組立てることができる。また、使用後は、容易に解体することができ、嵩張らずに保管や運搬をすることができる。
【００１９】
ペットボトルの空き箱を再利用できるのみでなく、不要になった場合には、段ボールのみを使用していることから古紙としてリサイクル可能であり、もし、焼却処分のする場合でも、有害な排煙の発生の心配がなく、環境にも優しい。従って、本考案に係る組立て椅子は、災害時等に緊急に椅子などを必要とする場合にも、利用することが可能である。
【図面の簡単な説明】
【００２０】
【図１】図１は、組立て椅子の斜視図である。
【図２】図２は、脚部を構成する矩形板状体の展開図である。
【図３】図３は、座部の展開図である。
【図４】図４は、中蓋である。
【図５】図５は、脚部の組立て方法の第一段階を示す図である。
【図６】図６は、脚部の組立て方法の第二段階を示す図である。
【図７】図７は、脚部の組立て方法の第三段階を示す図である。
【図８】図８は、脚部の組立て方法の第四段階を示す図である。
【図９】図９は、座部の組立て方法の第一段階を示す図である。
【図１０】図１０は、座部の組立て方法の第二段階を示す図である。
【図１１】図１１は、座部の組立て方法の第三段階を示す図である。
【考案を実施するための形態】
【００２１】
以下、本発明の実施形態を、説明する。
【００２２】
本考案に係る組立て椅子の素材は、段ボール紙、厚紙、樹脂板など、十分な強度を有し、容易に折り曲げ・切断加工できる素材であれば良く、例えば、ペットボトルの空き箱を使用することもできる。
【００２３】
図１に、本実施形態に係る組立て椅子１の斜視図を示す。組立て椅子１は、脚部２と座部３を備える。
【００２４】
脚部２は、同一形状の二枚の矩形板状体２１からなり、図２に、脚部２の一枚の矩形板状体２１の展開図を示す。
【００２５】
矩形板状体２１には、長辺に直角に折線２１３が施され、等幅に３つの脚面２１１が形成されている。また、長辺の一端から直角に短辺の半分の長さに相当する位置まで第１のスリット２１４が、脚面２１１の矩形板状体の長辺を３等分する位置に、其々２か所ずつ設けられている。
【００２６】
矩形板状体２１の一端には、長辺に直角に施された折線２１３と矩形板状体２１の短辺で形成された、脚面２１１より幅が狭い接続部２１２が設けられている。矩形板状体２１の短辺には、其々が対応する位置に第２のスリット２１５が設けられている。
【００２７】
次に、脚部２の組み立て方法について、図５〜図８を用いて説明する。
【００２８】
先ず、図５に示すように、矩形板状体２１を折線で折り曲げ、３つの脚面２１１で三角柱とする。次に、図６に示すように、矩形板状体２１を弾性変形させて短辺に設けた第２のスリット２１５を互いに挿入し、係止して、三角柱が開かないようにする。スリット２１５は、直線状であっても良いが、Ｌ字状とすると、係止が外れにくくなり、好ましい。なお、Ｌ字状とする場合には、一方のＬ字状第２のスロット２１５の軸部と他方のＬ字状第２のスリット２１５の先端部が座面３１から同じ高さとすると、確実に係止でき、より好ましい。
【００２９】
次に、図７に示すように、二つの三角柱を、互いに対応する第１のスリット２１４に差し込み、嵌合させて、星形六角柱とし、脚部２とする。図８に、星形六角柱状に組み上がった状態を示す。なお、第１のスリット２１４を互いに差し込むため、第１のスリット２１４の幅は、矩形板状体２１の厚さより広くすることが必要であるが、余り広くすると、遊びが出来て好ましくない。また、第１のスリット２１４及び第２のスリット２１５の差込口を面取りしておくと、挿入が容易となり、組立てが容易となる。
【００３０】
また、接続部２２の幅が、脚面２１１の幅の三分の一以下の幅であると、二つの三角柱を嵌合させて星形六角柱とするときに、互いに干渉することが無く差し込むことができる。一方、接続部２２の幅が、脚面２１１の幅の六分の一以上の幅であると、第２のスリット２１５を十分な長さとすることができ、三角柱を確実に係止できる。よって、接続部２２の幅は、脚面２１１の幅の三分の一以下六分の一以上の幅であることが好ましい。
【００３１】
次に、座部３について、説明する。図３に、座部３の展開図を示す。
【００３２】
脚部２の星状六角形より、矩形板状体２１の板厚の２倍の幅だけ大きくした六角形を座面３１とする。座面３１の各辺には、任意の高さの側面３１１が設けられており、座面３１と側面３１１が接する位置の第１の折線３１２と、座面に平行して側面の高さの２分の１の位置の第２の折線３１３が、設けられている。また、一つおきの側面３１１には、座面に対して外側の部分に、座面と平行に側面の両側に耳部３１４が設けられている。
【００３３】
先ず、図６（Ａ）に示すように、耳部３１４の付いた側面３１１を第２の折線３１３で内側におり、更に第１の折線３１２で内側に折る。次に、耳部の無い側面３１１を、両隣の耳部３１４を挟み込みながら第２の折線３１３で折り、更に第１の折線３１２で内側に折って蓋状とする。その後、図１０に示すように、脚部２の星状六角形と同じ大きさの六角形に形成した図４に示した中蓋３２を差し込み、側面３１１の抑えとする。なお、中蓋３２は、複数毎とすると、より座部３の強度を増すことができ、好ましい。
【００３４】
最後に、図１１に示すように、脚部２に、座部３をかぶせ、組立てを完成させる。図１に組み上がった状態の組立て椅子１を示す。
【００３５】
なお、簡易的に使用する場合には、座部３は、数枚張り合わせた段ボール紙を載せるだけでも良いし、座布団が有れば、それを載せるだけでも良い。また、大きな段ボール紙を利用することができた場合には、脚の高さが有る組立て椅子又は机とすることもできる。
【産業上の利用可能性】
【００３６】
本考案に係る組立て椅子は、簡便に組み立て解体が可能であり、また、解体して容積を小さくして保存や運搬が可能であることから、イベント会場や災害時の緊急対策として好適である。また、ペットボトルなどの空き箱を利用して作ることができ、環境にも優しい。
【符号の説明】
【００３７】
１…組立て椅子
２…脚部
２１…矩形板状体
２１１…脚面
２１２…接続部
２１３…折線
２１４…第１のスリット
２１５…第２のスリット
３…座部
３１…座面
３１１…側面
３１２…第１の折線
３１３…第２の折線
３１４…耳部
３２…中蓋
【図２】
0003189510.tif 000003
【図３】
0003189510.tif 000004
【図４】
0003189510.tif 000005
【図１】
0003189510.tif 000006
【図５】
0003189510.tif 000007
【図６】
0003189510.tif 000008
【図７】
0003189510.tif 000009
【図８】
0003189510.tif 000010
【図９】
0003189510.tif 000011
【図１０】
0003189510.tif 000012
【図１１】
0003189510.tif 000013
【手続補正書】
【提出日】平成26年1月13日(2014.1.13)
【手続補正１】
【補正対象書類名】実用新案登録請求の範囲
【補正対象項目名】請求項４
【補正方法】変更
【補正の内容】
【請求項４】
前記座部は、六角形の座面と六角形の各辺に側面とを有し、
前記側面によって形成された空間に前記脚部を挿入することを特徴とする請求項１〜３のいずれか一項に記載の組立て椅子。
【手続補正２】
【補正対象書類名】実用新案登録請求の範囲
【補正対象項目名】請求項５
【補正方法】変更
【補正の内容】
【請求項５】
段ボール紙を用いたことを特徴とする請求項１〜４のいずれか一項に記載の組立て椅子。